(57)【要約】【課題】省スペースおよびコストダウンが図れる光学部品保持機構を提供する。【解決手段】光学部品１を保持する保持部材２を固定ブロック３に保持する光学部品保持機構において、保持部材２には、光軸と直交する方向における外形幅が異なる部分２ａ，２ｂ；２ｃ，２ｄを形成し、固定ブロック３には、保持部材２の外形幅の狭い部分が嵌合する部分３ａ，３ｂと外形幅が広い部分が軽圧入される部分３ｃとを形成し、保持部材２の外形幅の狭い部分２ａ，２ｂを固定ブロック３に嵌合した後、保持部材２を光軸中心に回動させて外形幅の広い部分２ｃ、２ｄを固定ブロック３に軽圧入して、保持部材２を固定ブロック３に保持する。【選択図】図２
2005234008.tif 000002
【特許請求の範囲】
【請求項１】
光学部品を保持する保持部材を固定ブロックに保持する光学部品保持機構において、
上記保持部材には、光軸と直交する方向における外形幅が異なる部分を形成し、
上記固定ブロックには、上記保持部材の外形幅の狭い部分が嵌合する部分と外形幅が広い部分が軽圧入される部分とを形成し、
上記保持部材の上記外形幅の狭い部分を上記固定ブロックに嵌合した後、上記保持部材を光軸中心に回動させて上記外形幅の広い部分を上記固定ブロックに軽圧入して、上記保持部材を上記固定ブロックに保持するように構成したことを特徴とする光学部品保持機構。
【請求項２】
光学部品を保持する保持部材を固定ブロックに保持する光学部品保持機構において、
上記保持部材には、光軸と直交する方向における外形幅が異なる部分と突起部とを形成し、
上記固定ブロックには、上記保持部材の外形幅の狭い部分が嵌合する部分と、外形幅が広い部分が軽圧入される部分と、上記突起部が嵌合する凹部とを形成し、
上記保持部材の上記外形幅の狭い部分を上記固定ブロックに嵌合した後、上記保持部材を光軸中心に回動させて上記突起部を上記凹部に嵌合させると共に、上記外形幅の広い部分を上記固定ブロックに軽圧入して、上記保持部材を上記固定ブロックに保持するように構成したことを特徴とする光学部品保持機構。
【請求項３】
光学部品を保持する保持部材を固定ブロックに保持する光学部品保持機構において、
上記保持部材には、光軸と直交する方向における外形幅が異なる部分と突起部とを形成し、
上記固定ブロックには、上記保持部材の外形幅の狭い部分が嵌合する部分と、外形幅が広い部分が軽圧入される部分と、上記突起部が係合する凹部とを形成し、
上記保持部材の上記外形幅の狭い部分を上記固定ブロックに嵌合した後、上記保持部材を光軸中心に回動させて上記突起部を上記凹部の底部に当接させると共に、上記外形幅の広い部分を上記固定ブロックに軽圧入して、上記保持部材を上記固定ブロックに保持するように構成したことを特徴とする光学部品保持機構。
【請求項４】
光学部品を保持する保持部材を固定ブロックに保持する光学部品保持機構において、
上記保持部材には、光軸と直交する方向における外形幅が異なる部分と突起部とを形成し、
上記固定ブロックには、上記保持部材の外形幅の狭い部分が嵌合する部分と、外形幅が広い部分が軽圧入される部分と、上記突起部が係合する溝部と、該溝部に連通する調整用開口とを形成し、
上記保持部材の上記外形幅の狭い部分を上記固定ブロックに嵌合した後、上記保持部材を光軸中心に回動させて上記突起部を上記溝部に係合させると共に、上記外形幅の広い部分を上記固定ブロックに軽圧入し、この状態で上記調整用開口に治具を通して、該治具により上記突起部を介して上記保持部材の回動方向の位置を調整して、上記保持部材を上記固定ブロックに保持するように構成したことを特徴とする光学部品保持機構。
【請求項５】
光学部品を保持する保持部材を固定ブロックに保持する光学部品保持機構において、
上記保持部材には、光軸と直交する方向における外形幅が異なる部分を形成し、
上記固定ブロックには、上記保持部材の上記外形幅が広い部分が軽圧入される対向する２つの側壁と、上記外形幅の広い部分が当接する底壁とを形成し、
上記保持部材の上記外形幅の広い部分を上記底壁に当接させて上記外形幅の狭い部分を上記固定ブロックに挿入した後、上記保持部材を光軸中心に回動させて、上記外形幅の広い部分を、上記２つの側壁と上記底壁とに当接させて、上記保持部材を上記固定ブロックに保持するように構成したことを特徴とする光学部品保持機構。
【発明の詳細な説明】
【技術分野】
【０００１】
本発明は、レンズや回折格子等の光学部品を光軸方向および／または光軸を中心とする回転方向に調整可能に保持する光学部品保持機構に関するものである。
【背景技術】
【０００２】
従来の光学部品保持機構として、例えば、図１７（ａ）に平面図を、図１７（ｂ）に図１７（ａ）のＱ−Ｑ線断面図を示すように、レンズ５１を保持する円筒状のフレーム５２を、固定ブロック５３に形成された２つの壁面５３ａ，５３ｂに押し付けるように板バネ５４を介して固定ブロック５３にネジ５５で取り付け、これによりフレーム５２を光軸に沿ってスライド可能としてレンズ５１の光軸方向の位置を調整可能に保持したものが知られている。
【特許文献１】特開平１１−３２８７２１号公報（段落００１５）
【発明の開示】
【発明が解決しようとする課題】
【０００３】
しかしながら、上記特許文献１に開示の光学部品保持機構にあっては、フレーム５２の取り付けに板バネ５４およびネジ５５を要するため部品点数が多くなって、レンズ５１を用いる装置のコストアップを招くことが懸念されると共に、板バネ５４およびネジ５５を設けるスペースが必要となって装置の小型化が難しくなることが懸念される。
【０００４】
したがって、かかる点に鑑みてなされた本発明の目的は、省スペースおよびコストダウンが図れる光学部品保持機構を提供することにある。
【課題を解決するための手段】
【０００５】
上記目的を達成する請求項１に係る発明は、光学部品を保持する保持部材を固定ブロックに保持する光学部品保持機構において、
上記保持部材には、光軸と直交する方向における外形幅が異なる部分を形成し、
上記固定ブロックには、上記保持部材の外形幅の狭い部分が嵌合する部分と外形幅が広い部分が軽圧入される部分とを形成し、
上記保持部材の上記外形幅の狭い部分を上記固定ブロックに嵌合した後、上記保持部材を光軸中心に回動させて上記外形幅の広い部分を上記固定ブロックに軽圧入して、上記保持部材を上記固定ブロックに保持するように構成したことを特徴とするものである。
【０００６】
請求項２に係る発明は、光学部品を保持する保持部材を固定ブロックに保持する光学部品保持機構において、
上記保持部材には、光軸と直交する方向における外形幅が異なる部分と突起部とを形成し、
上記固定ブロックには、上記保持部材の外形幅の狭い部分が嵌合する部分と、外形幅が広い部分が軽圧入される部分と、上記突起部が嵌合する凹部とを形成し、
上記保持部材の上記外形幅の狭い部分を上記固定ブロックに嵌合した後、上記保持部材を光軸中心に回動させて上記突起部を上記凹部に嵌合させると共に、上記外形幅の広い部分を上記固定ブロックに軽圧入して、上記保持部材を上記固定ブロックに保持するように構成したことを特徴とするものである。
【０００７】
請求項３に係る発明は、光学部品を保持する保持部材を固定ブロックに保持する光学部品保持機構において、
上記保持部材には、光軸と直交する方向における外形幅が異なる部分と突起部とを形成し、
上記固定ブロックには、上記保持部材の外形幅の狭い部分が嵌合する部分と、外形幅が広い部分が軽圧入される部分と、上記突起部が係合する凹部とを形成し、
上記保持部材の上記外形幅の狭い部分を上記固定ブロックに嵌合した後、上記保持部材を光軸中心に回動させて上記突起部を上記凹部の底部に当接させると共に、上記外形幅の広い部分を上記固定ブロックに軽圧入して、上記保持部材を上記固定ブロックに保持するように構成したことを特徴とするものである。
【０００８】
請求項４に係る発明は、光学部品を保持する保持部材を固定ブロックに保持する光学部品保持機構において、
上記保持部材には、光軸と直交する方向における外形幅が異なる部分と突起部とを形成し、
上記固定ブロックには、上記保持部材の外形幅の狭い部分が嵌合する部分と、外形幅が広い部分が軽圧入される部分と、上記突起部が係合する溝部と、該溝部に連通する調整用開口とを形成し、
上記保持部材の上記外形幅の狭い部分を上記固定ブロックに嵌合した後、上記保持部材を光軸中心に回動させて上記突起部を上記溝部に係合させると共に、上記外形幅の広い部分を上記固定ブロックに軽圧入し、この状態で上記調整用開口に治具を通して、該治具により上記突起部を介して上記保持部材の回動方向の位置を調整して、上記保持部材を上記固定ブロックに保持するように構成したことを特徴とするものである。
【０００９】
請求項５に係る発明は、光学部品を保持する保持部材を固定ブロックに保持する光学部品保持機構において、
上記保持部材には、光軸と直交する方向における外形幅が異なる部分を形成し、
上記固定ブロックには、上記保持部材の上記外形幅が広い部分が軽圧入される対向する２つの側壁と、上記外形幅の広い部分が当接する底壁とを形成し、
上記保持部材の上記外形幅の広い部分を上記底壁に当接させて上記外形幅の狭い部分を上記固定ブロックに挿入した後、上記保持部材を光軸中心に回動させて、上記外形幅の広い部分を、上記２つの側壁と上記底壁とに当接させて、上記保持部材を上記固定ブロックに保持するように構成したことを特徴とするものである。
【発明の効果】
【００１０】
請求項１〜５に係る各発明によれば、バネ等を用いることなく、保持部材を固定ブロックに固定できるので、省スペースでコストのかからない光学部品保持機構を実現することができる。
【発明を実施するための最良の形態】
【００１１】
以下、本発明による光学部品保持機構の実施の形態について、図１乃至図１６を参照して説明する。
【００１２】
（第１実施の形態）
図１乃至図３は本発明の第１実施の形態を示すもので、図１（ａ）は光学部品を保持した保持部材の平面図、図１（ｂ）は図１（ａ）のＡ−Ａ線断面図、図２（ａ）は保持部材の固定ブロックへの挿入動作を説明するための平面図、図２（ｂ）は図２（ａ）のＢ−Ｂ線断面図、図３（ａ）は保持部材の位置調整動作を説明するための平面図、図３（ｂ）は図３（ａ）のＣ−Ｃ線断面図である。
【００１３】
本実施の形態は、光学部品である集光レンズ１を保持部材であるフレーム２に接着固定し、このフレーム２を固定ブロック３に光軸方向に位置調整可能に取り付ける。
【００１４】
集光レンズ１を保持するフレーム２には、円筒形部材の周面の軸対称な２箇所に、それぞれ軸方向に沿って平坦にカット（Ｄカット）した平坦部２ａ，２ｂを形成して、これら平坦部２ａ，２ｂ間の幅を、カットしない円弧部２ｃ，２ｄ間の幅（外径寸法）よりも狭くする。また、フレーム２の円弧部２ｃには、回転および光軸位置調整用の治具４が係合する穴２ｅを形成する。
【００１５】
一方、固定ブロック３には、フレーム２の幅の狭い平坦部２ａ，２ｂが嵌合する幅の対向する立ち上がり部３ａ，３ｂを形成すると共に、これら立ち上がり部３ａ，３ｂの対向する面側にはそれぞれ溝を形成して、フレーム２の幅の広い円弧部２ｃ，２ｄが軽圧入されるエッジ部３ｃを２個ずつ合計４個形成する。また、固定ブロック３には、立ち上がり部３ｂの上端部に、治具４によるフレーム２の回動位置および光軸方向の移動位置を調整できるように凹部３ｄを形成し、立ち上がり部３ａ，３ｂ間のフレーム２を保持する底部には開口３ｅを形成する。
【００１６】
以下、本実施の形態による光学部品保持機構の動作を説明する。先ず、集光レンズ１を接着固定したフレーム２を、固定ブロック３の立ち上がり部３ａ，３ｂ間に挿入して、図２（ａ），（ｂ）に示すように、フレーム２の幅の狭い平坦部２ａ，２ｂを嵌合させる。この際、フレーム２の円弧部２ｃに形成した穴２ｅは、上部に位置させる。
【００１７】
次に、図２（ｂ）に示すようにフレーム２の穴２ｅに治具４の先端部を挿入して、治具４を矢印ａ方向に回動させて、図３（ｂ）に示すように凹部３ｄに当接する位置またはその近傍まで移動させることにより、フレーム２を光軸中心に回動させて幅の広い円弧部２ｃ，２ｄを立ち上がり部３ａ，３ｂの４個のエッジ部３ｃに軽圧入して、フレーム２を固定ブロック３に保持する。
【００１８】
その後、治具４によりフレーム２を両矢印ｂで示す光軸方向に移動して集光レンズ1の位置調整を行い、調整後は、必要に応じて接着剤等によりフレーム２を固定ブロック３に補強固定する。
【００１９】
このように、本実施の形態によれば、バネ等を用いることなく、フレーム２を光軸方向に調整可能に固定ブロック３に固定できるので、省スペースでコストのかからない光学部品保持機構を実現することができる。
【００２０】
（第２実施の形態）
図４乃至図６は本発明の第２実施の形態を示すもので、図４（ａ）は光学部品を保持した保持部材の平面図、図４（ｂ）は図４（ａ）のＤ−Ｄ線断面図、図５（ａ）は保持部材の固定ブロックへの挿入動作を説明するための平面図、図５（ｂ）は図５（ａ）のＥ−Ｅ線断面図、図６（ａ）は保持部材の位置調整動作を説明するための平面図、図６（ｂ）は図６（ａ）のＦ−Ｆ線断面図である。
【００２１】
本実施の形態は、光学部品である回折格子５を保持部材であるフレーム６に接着固定し、このフレーム６を固定ブロック７に光軸を中心に回動調整可能に取り付ける。
【００２２】
回折格子５を保持するフレーム６には、第１実施の形態と同様に円筒形部材の周面の軸対称な２箇所に、それぞれ軸方向に沿って平坦にＤカットした平坦部６ａ，６ｂを形成して、これら平坦部６ａ，６ｂ間の幅を、カットしない円弧部６ｃ，６ｄ間の幅（外径寸法）よりも狭くする。また、フレーム６の円弧部６ｃには、回転調整用の突起部６ｅを形成する。
【００２３】
一方、固定ブロック７には、第１実施の形態と同様に、フレーム６の平坦部６ａ，６ｂが嵌合する幅の対向する立ち上がり部７ａ，７ｂを形成すると共に、これら立ち上がり部７ａ，７ｂの対向する面側にはそれぞれ溝を形成して、フレーム６の円弧部６ｃ，６ｄが軽圧入されるエッジ部７ｃを２個ずつ合計４個形成する。また、固定ブロック７には、立ち上がり部７ｂの上端部に、突起部６ｅが嵌合してフレーム６の光軸方向の移動を規制する凹部７ｄを形成し、立ち上がり部７ａ，７ｂ間のフレーム６を保持する底部には開口７ｅを形成する。
【００２４】
以下、本実施の形態による光学部品保持機構の動作を説明する。先ず、回折格子５を接着固定したフレーム６を、固定ブロック７の立ち上がり部７ａ，７ｂ間に挿入して、図５（ａ），（ｂ）に示すように、フレーム６の幅の狭い平坦部６ａ，６ｂを嵌合させる。この際、フレーム６の円弧部６ｃに形成した突起部６ｅは、上部に位置させる。
【００２５】
次に、図５（ｂ）に示すようにフレーム６の突起部６ｅを介して、フレーム６を光軸中心に矢印ａ方向に回動させて、図６（ａ），（ｂ）に示すようにフレーム６の幅の広い円弧部６ｃ，６ｄを立ち上がり部７ａ，７ｂの４個のエッジ部７ｃに軽圧入すると共に、突起部６ｅを立ち上がり部７ｂの凹部７ｄに嵌合させる。
【００２６】
その後、フレーム６の円弧部６ｃ，６ｄが４個のエッジ部７ｃに軽圧入され、かつ突起部６ｅが凹部７ｄに嵌合する範囲内で、突起部６ｅを介してフレーム６を光軸中心に回動させて、光軸と直交する面内での回折格子５の回転調整を行い、調整後は、必要に応じて接着剤等によりフレーム６を固定ブロック７に補強固定する。
【００２７】
このように、本実施の形態によれば、バネ等を用いることなく、フレーム６を光軸中心に回動調整可能に固定ブロック７に固定できるので、省スペースでコストのかからない光学部品保持機構を実現することができる。また、フレーム６の突起部６ｅを立ち上がり部７ｂの凹部７ｄに嵌合させてフレーム６を回動調整するので、回動調整時にフレーム６が図６（ａ）に両矢印ｂで示す光軸方向に移動するのを確実に規制することができる。したがって、フレーム６に保持された回折格子５を容易かつ高精度に回転調整することができる。
【００２８】
（第３実施の形態）
図７乃至図９は本発明の第３実施の形態を示すもので、図７（ａ）は光学部品を保持した保持部材の平面図、図７（ｂ）は図７（ａ）のＧ−Ｇ線断面図、図７（ｃ）は図７（ａ）の底面図、図８（ａ）は保持部材の固定ブロックへの挿入動作を説明するための平面図、図８（ｂ）は図８（ａ）のＨ−Ｈ線断面図、図９（ａ）は保持部材の位置調整動作を説明するための平面図、図９（ｂ）は図９（ａ）のＩ−Ｉ線断面図である。
【００２９】
本実施の形態は、光学部品である集光レンズ１１と波長板１２とを、保持部材であるフレーム１３に接着固定し、このフレーム１３を固定ブロック１４に光軸方向に位置調整可能に取り付ける。なお、波長板１２は、集光レンズ１１を保持したフレーム１３の端部とは反対側の端面（底面）に保持されている。
【００３０】
フレーム１３には、上記実施の形態と同様に、円筒形部材の周面の軸対称な２箇所に、それぞれ軸方向に沿って平坦にＤカットした平坦部１３ａ，１３ｂを形成して、これら平坦部１３ａ，１３ｂ間の幅を、カットしない円弧部１３ｃ，１３ｄ間の幅（外径寸法）よりも狭くする。また、フレーム１３の円弧部１３ｃには、回転調整用の突起部１３ｅを形成すると共に、この突起部１３ｅにマイナスドライバ等の治具１５が係合する調整用溝１３ｆを形成する。
【００３１】
一方、固定ブロック１４には、上記実施の形態と同様に、フレーム１３の平坦部１３ａ，１３ｂが嵌合する幅の対向する立ち上がり部１４ａ，１４ｂを形成すると共に、これら立ち上がり部１４ａ，１４ｂの対向する面側にはそれぞれ溝を形成して、フレーム１３の円弧部１３ｃ，１３ｄが軽圧入されるエッジ部１４ｃを２個ずつ合計４個形成する。また、固定ブロック１４の立ち上がり部１４ｂの上端部には、突起部１３ｅが係合してフレーム１３の回動および光軸方向の移動範囲を規制する凹部１４ｄを形成すると共に、この凹部１４ｄに連通して治具１５が係合する調整用溝１４ｅを形成する。さらに、固定ブロック１４には、立ち上がり部１４ａ，１４ｂ間のフレーム６を保持する底部に開口１４ｆを形成する。
【００３２】
以下、本実施の形態による光学部品保持機構の動作を説明する。先ず、集光レンズ１１および波長板１２を接着固定したフレーム１３を、固定ブロック１４の立ち上がり部１４ａ，１４ｂ間に挿入して、図８（ａ），（ｂ）に示すように、フレーム１３の幅の狭い平坦部１３ａ，１３ｂを嵌合させる。この際、フレーム１３の円弧部１３ｃに形成した突起部１３ｅは、上部に位置させる。
【００３３】
次に、図８（ｂ）に示すようにフレーム１３の突起部１３ｅを介して、フレーム１３を光軸中心に矢印ａ方向に回動させて、図９（ａ），（ｂ）に示すように突起部１３ｅを立ち上がり部１４ｂの凹部１４ｄの底部に当接させると共に、フレーム１３の幅の広い円弧部１３ｃ，１３ｄを立ち上がり部１４ａ，１４ｂの４個のエッジ部１４ｃに軽圧入する。
【００３４】
その後、図９（ａ），（ｂ）に示すように、フレーム１３の突起部１３ｅに形成された調整用溝１３ｆと、立ち上がり部１４ｂに凹部１４ｄに連通して形成された調整用溝１４ｅとに跨ってマイナスドライバ等の治具１５を挿入し、この治具１５を挿入方向を軸に回動させることにより、フレーム１３を両矢印ｂで示す光軸方向に移動させて集光レンズ1１および波長板１２を一体に位置調整し、調整後は、必要に応じて接着剤等によりフレーム１３を固定ブロック１４に補強固定する。
【００３５】
本実施の形態によれば、第１実施の形態と同様に、バネ等を用いることなく、フレーム１３を光軸方向に調整可能に固定ブロック１４に固定できるので、省スペースでコストのかからない光学部品保持機構を実現することができる。また、フレーム１３を、光軸を中心とする回動位置を規制した状態で、光軸方向に移動させることができる。
【００３６】
（第４実施の形態）
図１０および図１１は本発明の第４実施の形態を示すもので、図１０（ａ）は保持部材の固定ブロックへの挿入動作を説明するための平面図、図１０（ｂ）は図１０（ａ）のＪ−Ｊ線断面図、図１１（ａ）は保持部材の位置調整動作を説明するための平面図、図１１（ｂ）は図１１（ａ）のＫ−Ｋ線断面図である。
【００３７】
本実施の形態は、第３実施の形態において、フレーム１３を固定ブロック１４に光軸方向および光軸を中心とする回転方向に位置調整可能に取り付けるようにしたものである。
【００３８】
このため、固定ブロック１４の立ち上がり部１４ｂには、凹部１４ｄに代えてフレーム１３の突起部１３ｅが逃げる縦溝１４ｇを形成し、この縦溝１４ｇの上部に調整用溝１４ｅを連通して形成する。また、立ち上がり部１４ｂの下部には、縦溝１４ｇに連通してマイナスドライバ等の治具１６が挿入可能な調整用開口１４ｈを形成する。なお、フレーム１３の突起部１３ｅには、治具１６が当接する突起１３ｇを形成する。その他の構成は、第３実施の形態と同様である。
【００３９】
以下、本実施の形態による光学部品保持機構の動作を説明する。先ず、第３実施の形態と同様に、集光レンズ１１および波長板１２を接着固定したフレーム１３を、固定ブロック１４の立ち上がり部１４ａ，１４ｂ間に挿入して、図１０（ａ），（ｂ）に示すように、フレーム１３の幅の狭い平坦部１３ａ，１３ｂを嵌合させる。
【００４０】
次に、図１０（ｂ）に示すようにフレーム１３の突起部１３ｅを介して、フレーム１３を光軸中心に矢印ａ方向に回動させて、図１１（ａ），（ｂ）に示すように突起部１３ｅを立ち上がり部１４ｂの縦溝１４ｇ内に位置させると共に、フレーム１３の幅の広い円弧部１３ｃ，１３ｄを立ち上がり部１４ａ，１４ｂの４個のエッジ部１４ｃに軽圧入する。
【００４１】
その後、フレーム１３の円弧部１３ｃ，１３ｄが４個のエッジ部１４ｃに軽圧入される範囲内で、フレーム１３の調整用溝１３ｆと立ち上がり部１４ｂの調整用溝１４ｅとに跨って治具１５を挿入すると共に、立ち上がり部１４ｂの調整用開口１４ｈに治具１６を挿入して、治具１５および治具１６によりフレーム１３を両矢印ｃで示す光軸中心に回動させて回転方向の位置調整を行うと共に、治具１５により第３実施の形態と同様にして光軸方向の位置調整を行う。なお、治具１６によりフレーム１３を回動させる場合には、治具１６をフレーム１３の突起１３ｇに当接させて行う。
【００４２】
本実施の形態によれば、上記実施の形態と同様に、省スペースでコストのかからない光学部品保持機構を実現することができる他、フレーム１３を固定ブロック１４に光軸方向および光軸を中心とする回転方向に高精度に位置調整して取り付けることができる。
【００４３】
（第５実施の形態）
図１２乃至図１４は本発明の第５実施の形態を示すもので、図１２（ａ）は光学部品を保持した保持部材の平面図、図１２（ｂ）は図１２（ａ）のＬ−Ｌ線断面図、図１３（ａ）は保持部材の固定ブロックへの挿入動作を説明するための平面図、図１３（ｂ）は図１３（ａ）のＭ−Ｍ線断面図、図１４（ａ）は保持部材の位置調整動作を説明するための平面図、図１４（ｂ）は図１４（ａ）のＮ−Ｎ線断面図である。
【００４４】
本実施の形態は、第１実施の形態において、フレーム２の１箇所をＤカットして１つの平坦部２ａを形成し、他の外周面を全て円弧部２ｆとすると共に、固定ブロック３の立ち上がり部３ｂのフレーム２と当接する面を、エッジ部３ｃを形成することなく平坦面としたもので、その他の構成は第１実施の形態と同様である。
【００４５】
本実施の形態においては、先ず、集光レンズ１を接着固定したフレーム２を、固定ブロック３の立ち上がり部３ａ，３ｂ間に挿入して、図１３（ａ），（ｂ）に示すように、フレーム２の幅の狭い平坦部２ａとそれと軸対称の円弧部２ｆを嵌合させる。その後、図１３（ｂ）に示すようにフレーム２の穴２ｅに治具４の先端部を挿入して、治具４を矢印ａ方向に回動させて、図１４（ｂ）に示すように凹部３ｄに当接する位置またはその近傍まで移動させることにより、フレーム２を光軸中心に回動させて幅の広い円弧部２ｆを立ち上がり部３ａの２個のエッジ部３ｃと立ち上がり部３ｂとの間に軽圧入して、フレーム２を固定ブロック３に保持し、その状態で治具４によりフレーム２を両矢印ｂで示す光軸方向に移動して集光レンズ1の位置調整を行う。
【００４６】
このように本実施の形態では、フレーム２のＤカット面（平坦部２ａ）を１つにすると共に、フレーム２が当接する固定ブロック３の立ち上がり部３ｂの面を平坦面としたので、フレーム２および固定ブロック３の加工が容易となり、第１実施の形態の場合よりも、さらにコストダウンを図ることができる。
【００４７】
（第６実施の形態）
図１５および図１６は本発明の第６実施の形態を示すもので、図１５（ａ）は保持部材の固定ブロックへの挿入動作を説明するための平面図、図１５（ｂ）は図１５（ａ）Ｏ−Ｏ線断面図、図１６（ａ）は保持部材の位置調整動作を説明するための平面図、図１６（ｂ）は図１６（ａ）のＰ−Ｐ線断面図である。
【００４８】
本実施の形態は、第１実施の形態において、固定ブロック３の対向する立ち上がり部３ａ，３ｂのフレーム２と当接する面をそれぞれ平坦な側壁として形成とすると共に、それらの間隔をフレーム２の幅の広い円弧部２ｃ，２ｄが軽圧入される寸法に形成する。また、立ち上がり部３ａ，３ｂ間のフレーム２を保持する底部を開口することなく底壁３ｆとして形成し、さらに立ち上がり部３ｂの上端部の凹部３ｄを省略する。その他の構成は第１実施の形態と同様である。
【００４９】
本実施の形態においては、先ず、集光レンズ１を接着固定したフレーム２を、図１５（ａ），（ｂ）に示すように、円弧部２ｄが固定ブロック３の底壁３ｆに当接するように立ち上がり部３ａ，３ｂ間に挿入する。
【００５０】
次に、図１５（ｂ）に示すようにフレーム２の穴２ｅに治具４の先端部を挿入して、治具４を矢印ａ方向に回動させて、図１６（ｂ）に示すようにフレーム２の円弧部２ｃを立ち上がり部３ｂに、円弧部２ｄを立ち上がり部３ａおよび底壁３ｆにそれぞれ当接させて、フレーム２を３点で支持して軽圧入状態で保持する。
【００５１】
その後、治具４により、フレーム２を底壁３ｆ側に押圧しながら、両矢印ｂで示す光軸方向に移動して集光レンズ1の位置調整を行う。
【００５２】
このように本実施の形態では、固定ブロック３のフレーム２を保持する対向する立ち上がり部３ａ，３ｂを平坦な側壁とすると共に、底部を底壁３ｆとしたので、固定ブロック３の加工が容易となり、第１実施の形態の場合よりも、さらにコストダウンを図ることができる。
【００５３】
なお、本発明は上記実施の形態にのみ限定されるものではなく、幾多の変形または変更が可能である。保持部材に保持する光学部品は、上記の集光レンズ、回折格子、波長板に限らず、他の光学部品を保持する場合にも本発明を有効に適用することができる。
【図面の簡単な説明】
【００５４】
【図１】本発明の第１実施の形態における光学部品保持機構の保持部材の構成を示す図である。
【図２】第１実施の形態における保持部材の固定ブロックへの挿入動作を説明するための図である。
【図３】同じく、保持部材の位置調整動作を説明するための図である。
【図４】本発明の第２実施の形態における光学部品保持機構の保持部材の構成を示す図である。
【図５】第２実施の形態における保持部材の固定ブロックへの挿入動作を説明するための図である。
【図６】同じく、保持部材の位置調整動作を説明するための図である。
【図７】本発明の第３実施の形態における光学部品保持機構の保持部材の構成を示す図である。
【図８】第３実施の形態における保持部材の固定ブロックへの挿入動作を説明するための図である。
【図９】同じく、保持部材の位置調整動作を説明するための図である。
【図１０】本発明の第４実施の形態における光学部品保持機構による保持部材の固定ブロックへの挿入動作を説明するための図である。
【図１１】同じく、保持部材の位置調整動作を説明するための図である。
【図１２】本発明の第５実施の形態における光学部品保持機構の保持部材の構成を示す図である。
【図１３】第５実施の形態における保持部材の固定ブロックへの挿入動作を説明するための図である。
【図１４】同じく、保持部材の位置調整動作を説明するための図である。
【図１５】本発明の第６実施の形態における光学部品保持機構による保持部材の固定ブロックへの挿入動作を説明するための図である。
【図１６】同じく、保持部材の位置調整動作を説明するための図である。
【図１７】従来の光学部品保持機構を説明するための図である。
【符号の説明】
【００５５】
１  集光レンズ
２  フレーム
２ａ，２ｂ  平坦部
２ｃ，２ｄ  円弧部
２ｅ  穴
２ｆ  円弧部
３  固定ブロック
３ａ，３ｂ  立ち上がり部
３ｃ  エッジ部
３ｄ  凹部
３ｅ  開口
３ｆ  底壁
４  治具
５  回折格子
６  フレーム
６ａ，６ｂ  平坦部
６ｃ，６ｄ  円弧部
６ｅ  突起部
７  固定ブロック
７ａ，７ｂ  立ち上がり部
７ｃ  エッジ部
７ｄ  凹部
７ｅ  開口
１１  集光レンズ
１２  波長板
１３  フレーム
１３ａ，１３ｂ  平坦部
１３ｃ，１３ｄ  円弧部
１３ｅ  突起部
１３ｆ  調整用溝
１３ｇ  突起
１４  固定ブロック
１４ａ，１４ｂ  立ち上がり部
１４ｃ  エッジ部
１４ｄ  凹部
１４ｅ  調整用溝
１４ｆ  開口
１４ｇ  縦溝
１４ｈ  調整用開口
１５，１６  治具
【図１】
2005234008.tif 000003
【図２】
2005234008.tif 000004
【図３】
2005234008.tif 000005
【図４】
2005234008.tif 000006
【図５】
2005234008.tif 000007
【図６】
2005234008.tif 000008
【図７】
2005234008.tif 000009
【図８】
2005234008.tif 000010
【図９】
2005234008.tif 000011
【図１０】
2005234008.tif 000012
【図１１】
2005234008.tif 000013
【図１２】
2005234008.tif 000014
【図１３】
2005234008.tif 000015
【図１４】
2005234008.tif 000016
【図１５】
2005234008.tif 000017
【図１６】
2005234008.tif 000018
【図１７】
2005234008.tif 000019